(57)【要約】      （修正有）【課題】セルラネットワークで非セルラアクセスネットワーク情報を通信する装置、システム及び方法を提供する。【解決手段】セルラネットワークを介して非セルラアクセスネットワーク情報を通信するデバイス、システム及び／又は方法を含む。eNB（Evolved  Node  B）は、セルラ通信媒体で制御メッセージを送信する無線機を含んでもよく、制御メッセージは、eNBのカバレッジエリア内における少なくとも１つの非セルラネットワークのアクセスネットワーク情報を含む。【選択図】図２
2017163564.tif 000002
【特許請求の範囲】
【請求項１】
メモリとプロセッサとを有する装置であって、
前記プロセッサは、ユーザ装置（UE）に対して、
LTE（Long  Term  Evolution）ネットワークのeNB（evolved  Node  B）との保護された接続を確立させ、
前記保護された接続で前記eNBからの無線送信において無線リソース制御（RRC）メッセージを受信させ、前記RRCメッセージは、無線ローカルエリアネットワーク（WLAN）認証情報を有し、
前記WLAN認証情報に基づいて、WLAN接続のために前記UEにより使用されるセキュリティ鍵を決定させるように構成される装置。
【請求項２】
前記RRCメッセージは、RRC接続再構成（RRCConnectionReconfiguration）メッセージを有する、請求項１に記載の装置。
【請求項３】
前記セキュリティ鍵は、PSK（Pre-Shared  Key）を有する、請求項１に記載の装置。
【請求項４】
前記UEに対して、前記RRCメッセージのWLAN識別子情報に基づいてWLANに接続させ、前記WLAN識別子情報は、１つ以上のWLANの１つ以上のWLAN識別子を有する、請求項１に記載の装置。
【請求項５】
前記１つ以上のWLAN識別子は、基本サービスセット識別子（BSSID）又はサービスセット識別子（SSID）のうち少なくとも１つを有する、請求項４に記載の装置。
【請求項６】
前記１つ以上のWLAN識別子は、複数のWLANのWLAN識別子のリストを有する、請求項４に記載の装置。
【請求項７】
前記RRCメッセージは、暗号化により保護されている、保護されたメッセージを有する、請求項１ないし６のうちいずれか１項に記載の装置。
【請求項８】
前記RRCメッセージを受信する無線機を有する、請求項１ないし６のうちいずれか１項に記載の装置。
【請求項９】
１つ以上のアンテナを有する、請求項１ないし６のうちいずれか１項に記載の装置。
【請求項１０】
ユーザ装置（UE）に対して、
LTE（Long  Term  Evolution）ネットワークのeNB（evolved  Node  B）との保護された接続を確立させ、
前記保護された接続で前記eNBからの無線送信において無線リソース制御（RRC）メッセージを受信させ、前記RRCメッセージは、無線ローカルエリアネットワーク（WLAN）認証情報を有し、
前記WLAN認証情報に基づいて、WLAN接続のために前記UEにより使用されるセキュリティ鍵を決定させるコンピュータプログラム。
【請求項１１】
前記RRCメッセージは、RRC接続再構成（RRCConnectionReconfiguration）メッセージを有する、請求項１０に記載のコンピュータプログラム。
【請求項１２】
前記セキュリティ鍵は、PSK（Pre-Shared  Key）を有する、請求項１０に記載のコンピュータプログラム。
【請求項１３】
前記UEに対して、前記RRCメッセージのWLAN識別子情報に基づいてWLANに接続させ、前記WLAN識別子情報は、１つ以上のWLANの１つ以上のWLAN識別子を有する、請求項１０に記載のコンピュータプログラム。
【請求項１４】
前記１つ以上のWLAN識別子は、複数のWLANのWLAN識別子のリストを有する、請求項１３に記載のコンピュータプログラム。
【請求項１５】
メモリとプロセッサとを有する装置であって、
前記プロセッサは、LTE（Long  Term  Evolution）ネットワークのeNB（evolved  Node  B）に対して、
ユーザ装置（UE）との保護された接続を確立させ、
前記UEのための無線ローカルエリアネットワーク（WLAN）認証情報を有する無線リソース制御（RRC）メッセージを生成させ、
前記保護された接続で前記RRCメッセージを有する無線送信を前記UEに送信させる装置。
【請求項１６】
前記WLAN認証情報は、WLAN接続のためのセキュリティ鍵を決定する際に前記UEを支援するための情報を有する、請求項１５に記載の装置。
【請求項１７】
前記RRCメッセージは、RRC接続再構成（RRCConnectionReconfiguration）メッセージを有する、請求項１５に記載の装置。
【請求項１８】
前記RRCメッセージは、１つ以上のWLANの１つ以上のWLAN識別子を有する、請求項１５に記載の装置。
【請求項１９】
前記１つ以上のWLAN識別子は、複数のWLANのWLAN識別子のリストを有する、請求項１８に記載の装置。
【請求項２０】
無線機と１つ以上のアンテナとを有する、請求項１５に記載の装置。
【請求項２１】
LTE（Long  Term  Evolution）ネットワークのeNB（evolved  Node  B）に対して、
ユーザ装置（UE）との保護された接続を確立させ、
前記UEのための無線ローカルエリアネットワーク（WLAN）認証情報を有する無線リソース制御（RRC）メッセージを生成させ、
前記保護された接続で前記RRCメッセージを有する無線送信を前記UEに送信させるコンピュータプログラム。
【請求項２２】
前記WLAN認証情報は、WLAN接続のためのセキュリティ鍵を決定する際に前記UEを支援するための情報を有する、請求項２１に記載のコンピュータプログラム。
【請求項２３】
前記RRCメッセージは、RRC接続再構成（RRCConnectionReconfiguration）メッセージを有する、請求項２１に記載のコンピュータプログラム。
【請求項２４】
前記RRCメッセージは、１つ以上のWLANの１つ以上のWLAN識別子を有する、請求項２１に記載のコンピュータプログラム。
【請求項２５】
請求項１０ないし１４、２１ないし２４のうちいずれか１項に記載のコンピュータプログラムを記憶した１つ以上のコンピュータ可読記憶媒体。
【発明の詳細な説明】
【背景技術】
【０００１】
この出願は、“Advanced  Wireless  Communication  Systems  and  Techniques”という題で2013年1月17日に出願された米国仮特許出願第61/753,914号の優先権を主張し、この全開示を援用する。
【０００２】
無線通信デバイス（例えば、モバイルデバイス）は、複数の無線通信技術を利用するように構成されることがある。
【０００３】
例えば、ユーザ装置（UE：User  Equipment）デバイスは、セルラ接続（例えば、LTE（Long  Term  Evolution）セルラ接続）と、無線ローカルエリアネットワーク（WLAN：wireless-local-area-network）接続（例えば、WiFi（Wireless-Fidelity）接続）とを利用するように構成されることがある。
【０００４】
UEは、UEに予め提供されたアクセス情報に基づいてWLANを発見するように構成されることがある。しかし、予め提供された情報は、例えば、アクセス情報が動的に変化し得る動的なネットワークでは、効率的でない可能性がある。
【図面の簡単な説明】
【０００５】
【図１】或る例示的な実施例によるシステムの概略ブロック図
【図２】或る例示的な実施例に従ってセルラネットワークを介して非セルラアクセスネットワーク情報を通信する方法の概略フローチャート
【図３】或る例示的な実施例による物の概略図
【発明を実施するための形態】
【０００６】
説明を簡潔且つ明瞭にするために、図面に示す要素は、必ずしも縮尺通りに記載されているとは限らない。例えば、提示を明瞭にするために、いくつかの要素の大きさは、他の要素に対して誇張されることがある。更に、対応する要素又は類似する要素を示すために、参照符号が図面の間で繰り返されることがある。
【０００７】
以下の詳細な説明では、或る実施例の完全な理解を提供するために、複数の特定の詳細が示されている。しかし、或る実施例は、これらの特定の詳細なしに実施されてもよいことが当業者に分かる。他にも、周知の方法、手順、コンポーネント、ユニット及び／又は回路は、説明をあいまいにしないように詳細には記載されていない。
【０００８】
例えば、“処理”、“計算”、“算出”、“決定”、“確立”、“分析”、“検査”等のような用語を利用したここでの説明は、コンピュータのレジスタ及び／又はメモリ内の物理量（例えば、電子量）として表されたデータを、コンピュータのレジスタ及び／又はメモリ又は動作及び／又は処理を実行するための命令を格納し得る他の情報記憶媒体内の物理量として同様に表された他のデータに操作及び／又は変換するコンピュータ、コンピュータプラットフォーム、コンピュータシステム又は他の電子計算デバイスの動作及び／又は処理を示してもよい。
【０００９】
ここで使用される“複数”という用語は、例えば、“多数”又は“２つ以上”を含む。例えば、“複数の項目”は、２つ以上の項目を含む。
【００１０】
“一実施例”、“実施例”、“例示的な実施例”、“様々な実施例”等への言及は、このように記載された実施例が特定の機能、構成又は特徴を含んでもよいが、必ずしも全ての実施例がその特定の機能、構成又は特徴を含むとは限らないことを示す。更に、“一実施例では”という用語の繰り返しの使用は、必ずしも同じ実施例を示すものではないが、同じ実施例を示してもよい。
【００１１】
特段の定めがない限り、ここで使用される“第１”、“第２”、“第３”等の順序を表す形容詞の使用は、単に同様の対象の異なるインスタンスが参照されていることを示すものであり、このように記載された対象が時間的、空間的、順位的又は他の方法で所与の順序になければならないことを示すことを意図するものではない。
【００１２】
或る実施例は、様々なデバイス及びシステム（例えば、パーソナルコンピュータ（PC）、デスクトップコンピュータ、モバイルコンピュータ、ラップトップコンピュータ、ノートブックコンピュータ、タブレットコンピュータ、スマートフォンデバイス、サーバコンピュータ、ハンドヘルドコンピュータ、ハンドヘルドデバイス、パーソナルデジタルアシスタント（PDA）デバイス、ハンドヘルドPDAデバイス、オンボード（onboard）デバイス、オフボード（off-board）デバイス、ハイブリッドデバイス、車両用デバイス、非車両用デバイス、モバイル又はポータブルデバイス、消費者用デバイス、非モバイル又は非ポータブルデバイス、無線通信局、無線通信デバイス、無線アクセスポイント（AP）、有線又は無線ルータ、有線又は無線モデム、ビデオデバイス、オーディオデバイス、オーディオ／ビデオ（A/V）デバイス、有線又は無線ネットワーク、無線エリアネットワーク、セルラネットワーク、セルラノード、無線ローカルエリアネットワーク（WLAN）、MIMO（Multiple  Input  Multiple  Output）トランシーバ又はデバイス、SIMO（Single  Input  Multiple  Output）トランシーバ又はデバイス、MISO（Multiple  Input  Single  Output）トランシーバ又はデバイス、１つ以上の内部アンテナ及び／又は外部アンテナを有するデバイス、デジタルビデオ放送（DVB：Digital  Video  Broadcast）デバイス又はシステム、マルチ標準無線デバイス又はシステム、有線又は無線ハンドヘルドデバイス（例えば、スマートフォン）、WAP（Wireless  Application  Protocol）デバイス、自動販売機、販売端末等）と共に使用されてもよい。
【００１３】
或る実施例は、既存のLTE（Long  Term  Evolution）仕様（“36.300-Evolved  Universal  Terrestrial  Radio  Access  (E-UTRA)  and  Evolved  Universal  Terrestrial  Radio  Access  Network  (E-UTRAN);  Overall  description;  Stage  2”及び“RAN2  RRC-3GPP  TS  36.331:  Evolved  Universal  Terrestrial  Radio  Access  (E-UTRA);  Radio  Resource  Control (RRC);  Protocol  specification”を含む）、及び／又はこれらの将来のバージョン及び／又は派生に従って動作するデバイス及び／又はネットワークと共に使用されてもよく、及び／又は、既存のWGA（Wireless-Gigabit-Alliance）仕様（Wireless  Gigabit  Alliance,  Inc  WiGig  MAC  and  PHY  Specification  Version  1.1,  April  2011,  Final  specification）、及び／又はこれらの将来のバージョン及び／又は派生に従って動作するデバイス及び／又はネットワークと共に使用されてもよく、及び／又は、既存のIEEE802.11標準（IEEE  802.11-2012,  IEEE  Standard  for  Information  technology00Telecommunications  and  information  exchange  between  systems  Local  and  metropolitan  area  networks−Specific  requirements  Part  11:  Wireless  LAN  Medium  Access  Control  (MAC)  and  Physical  Layer  (PHY)  Specifications,  March  29,  2012）に従って動作するデバイス及び／又はネットワーク、及び／又はこれらの将来のバージョン及び／又は派生に従って動作するデバイス及び／又はネットワークと共に使用されてもよく、及び／又は、既存のIEEE802.16標準（IEEE-Std  802.16,  2009  Edition,  Air  Interface  or  Fixed  Broadband  Wireless  Access  Systems;  IEEE-Std  802.16e,  2005  Edition,  Physical  and  Medium  Access  Control  Layers  for  Combined  Fixed  and  Mobile  Operation  in  Licensed  Bands;  amendment  to  IEEE  Std  802.16-2009,  developed  by  Task  Group  m）、及び／又はこれらの将来のバージョン及び／又は派生に従って動作するデバイス及び／又はネットワークと共に使用されてもよく、及び／又は、既存のWirelessHDTM仕様、及び／又はこれらの将来のバージョン及び／又は派生に従って動作するデバイス及び／又はネットワークと共に使用されてもよく、前述のネットワークの一部であるユニット及び／又はデバイス等と共に使用されてもよい。
【００１４】
或る実施例は、１つ以上の種類の無線通信信号及び／又はシステム（例えば、無線周波数（RF）、周波数分割多重（FDM）、直交FDM（OFDM）、シングルキャリア周波数分割多重アクセス（SC-FDMA）、時分割多重（TDM）、時分割多重アクセス（TDMA）、E-TDMA（Extended  TDMA）、GPRS（General  Packet  Radio  Service）、extended  GPRS、符号分割多重アクセス（CDMA）、WCDMA（登録商標）（Wideband  CDMA）、CDMA2000、シングルキャリアCDMA、マルチキャリアCDMA、MDM（Multi-Carrier  Modulation）、DMT（Discrete  Multi-Tone）、Bluetooth（登録商標）、全地球測位システム（GPS）、Wi-Fi（Wireless  Fidelity）、Wi-Max、ZigBeeTM、UWB（Ultra-Wideband）、GSM（登録商標）（Global  System  for  Mobile  communication）、第２世代（2G）、2.5G、3G、3.5G、4G、第５世代（5G）モバイルネットワーク、3GPP、LTE（Long  Term  Evolution）セルラシステム、LTE  advanceセルラシステム、HSDPA（High-Speed  Downlink  Packet  Access）、HSUPA（High-Speed  Packet  Access）、HSPA+、1XRTT（Single  Carrier  Radio  Transmission  Technology）、EV-DO（Evolution-Data  Optimized）、EDGE（Enhanced  Data  rates  for  GSM  Evolution）等）と共に使用されてもよい。他の実施例は、様々な他のデバイス、システム及び／又はネットワークで使用されてもよい。
【００１５】
ここで使用される“無線デバイス”という用語は、例えば、無線通信可能なデバイス、無線通信可能な通信デバイス、無線通信可能な通信局、無線通信可能なポータブル又は非ポータブルデバイス等を含む。或る例示的な実施例では、無線デバイスは、コンピュータに統合された周辺機器又はコンピュータに取り付けられた周辺機器でもよく、このような周辺機器を含んでもよい。或る例示的な実施例では、“無線デバイス”という用語は、任意選択で無線サービスを含んでもよい。
【００１６】
無線通信信号に関してここで使用される“通信する”という用語は、無線通信信号を送信すること及び／又は無線通信信号を受信することを含む。例えば、無線通信信号を通信可能な無線通信ユニットは、無線通信信号を少なくとも１つの他の無線通信ユニットに送信する無線送信機及び／又は少なくとも１つの他の無線通信ユニットから無線通信信号を受信する無線通信受信機を含んでもよい。
【００１７】
或る例示的な実施例について、LTEセルラシステムに関してここで説明する。しかし、他の実施例は、他の適切なセルラネットワーク（3Gセルラネットワーク、4Gセルラネットワーク、5Gセルラネットワーク、WiMaxセルラネットワーク等）において実装されてもよい。
【００１８】
或る例示的な実施例について、WLANシステムに関してここで説明する。しかし、他の実施例は、他の適切な非セルラネットワークにおいて実装されてもよい。
【００１９】
ここで使用される“アンテナ”という用語は、１つ以上のアンテナ素子、コンポーネント、ユニット、組み立て体及び／又はアレイのいずれか適切な構成、構造及び／又は配置を含んでもよい。或る実施例では、アンテナは、別々の送信及び受信アンテナ素子を使用して送信及び受信機能を実施してもよい。或る実施例では、アンテナは、共通及び／又は統合の送信／受信素子を使用して送信及び受信機能を実施してもよい。アンテナは、例えば、フェーズドアレイアンテナ、単一素子アンテナ、ダイポールアンテナ、一式の切り替えビームアンテナ及び／又は同様のものを含んでもよい。
【００２０】
ここで使用される“セル”という用語は、ネットワークリソース（例えば、下りリンク及び任意選択で上りリンクのリソース）の組み合わせを含んでもよい。リソースは、例えば、セルラノード（“基地局”とも呼ばれる）等により制御及び／又は割り当てが行われてもよい。下りリンクリソースのキャリア周波数と上りリンクリソースのキャリア周波数との間の関連付けは、下りリンクリソースで送信されるシステム情報において示されてもよい。
【００２１】
ここで使用される“アクセスポイント（AP：access  point）”という用語は、局（STA）を含み、関連するSTAの無線媒体（WM：Wireless  Medium）を介して配信サービスへのアクセスを提供するエンティティを含んでもよい。
【００２２】
ここで使用される“局（STA：station）”という用語は、WMへの媒体アクセス制御（MAC：medium  access  control）及び物理レイヤ（PHY：physical  layer）インタフェースの単独でアドレス指定可能なインスタンスであるいずれかの論理エンティティを含んでもよい。
【００２３】
ここで使用される“指向性マルチギガビット（DMG：directional  multi-gigabit）”及び“指向性帯域（DBand：directional  band）という用語は、チャネル開始周波数が56GHzより上の周波数帯域に関係してもよい。
【００２４】
“DMG  STA”及び“mmWave  STA（mSTA）”という用語は、DMG帯域内のチャネルで動作する無線送信機を有するSTAに関係してもよい。
【００２５】
或る例示的な実施例によるシステム100のブロック図を概略的に示す図１を参照する。
【００２６】
図１に示すように、或る例示的な実施例では、システム100は、１つ以上の無線媒体108を介してコンテンツ、データ、情報及び／又は信号を通信可能な１つ以上の無線通信デバイスを含んでもよい。例えば、システム100は、例えば以下に説明するように、１つ以上の無線通信ネットワークと通信可能な少なくとも１つのユーザ装置（UE：User  Equipment）102を含んでもよい。
【００２７】
無線媒体108は、例えば、無線チャネル、セルラチャネル、RFチャネル、WiFi（Wireless  Fidelity）チャネル、IRチャネル等を含んでもよい。システム100の１つ以上の要素は、任意選択で、いずれか適切な有線通信リンクで通信可能でもよい。
【００２８】
或る例示的な実施例では、システム100は、少なくとも１つのセルラネットワーク103（例えば、ノード104により制御されるセル）を含んでもよい。
【００２９】
或る例示的な実施例では、システム100は、非セルラネットワーク107（例えば、WLAN（例えば、アクセスポイント（AP：Access  Point）106により管理される基本サービスセット（BSS：Basic  Service  Set）））を含んでもよい。
【００３０】
或る例示的な実施例では、非セルラネットワーク107は、ノード104のカバレッジエリア内に少なくとも部分的に存在してもよい。例えば、AP106は、ノード104のカバレッジエリア内に存在してもよい。
【００３１】
或る例示的な実施例では、ノード104は、eNB（Evolved  Node  B）を含んでもよい。例えば、ノード104は、無線リソース管理（RRM：radio  resource  management）、無線ベアラ制御、無線許可制御（アクセス制御）、接続モビリティ管理、UEとeNB無線機との間のリソーススケジューリング（例えば、上りリンク及び下りリンクの双方におけるUEへのリソースの動的な割り当て）、ヘッダ圧縮、ユーザデータストリームのリンク暗号化、宛先（例えば、他のeNB又はEPC（Evolved  Packet  Core））へのユーザデータのパケットルーティング、ページングメッセージ（例えば、入来呼及び／又は接続要求）のスケジューリング及び／又は送信、ブロードキャスト情報の協調、測定報告、及び／又は他の動作を実行するように構成されてもよい。
【００３２】
他の実施例では、ノード104は、他の機能を含んでもよく、及び／又は他のセルラノード（例えば、NB（Node  B））又は他のノード若しくはデバイスの機能を実行してもよい。
【００３３】
或る例示的な実施例では、UE102は、例えば、モバイルコンピュータ、ラップトップコンピュータ、ノートブックコンピュータ、タブレットコンピュータ、モバイルインターネットデバイス、ハンドヘルドコンピュータ、ハンドヘルドデバイス、PDAデバイス、ハンドヘルドPDAデバイス、オンボード（onboard）デバイス、オフボード（off-board）デバイス、ハイブリッドデバイス（例えば、セルラ電話機能とPDAデバイス機能との組み合わせ）、消費者用デバイス、車両用デバイス、非車両用デバイス、モバイル又はポータブルデバイス、移動電話、セルラ電話、PCSデバイス、モバイル又はポータブルGPSデバイス、DVBデバイス、比較的小型の計算デバイス、非デスクトップコンピュータ、CSLL（Carry  Small  Live  Large）デバイス、ウルトラモバイルデバイス（UMD）、ウルトラモバイルPC（UMPC）、モバイルインターネットデバイス（MID）、“Origami”デバイス又は計算デバイス、ビデオデバイス、オーディオデバイス、A/Vデバイス、ゲームデバイス、メディアプレイヤ、スマートフォン等を含んでもよい。
【００３４】
或る例示的な実施例ではUE102、ノード104及び／又はAP106は、例えば以下に説明するように、UE102、ノード104、AP106間での無線通信及び／又は１つ以上の他の無線通信デバイスとの無線通信を実行するために、１つ以上の無線通信ユニットを含んでもよい。例えば、UE102は、無線通信ユニット110を含んでもよく、及び／又はノード104は、無線通信ユニット130を含んでもよい。
【００３５】
或る例示的な実施例では、無線通信ユニット110及び130は、１つ以上のアンテナを含んでもよく、１つ以上のアンテナに関連付けられてもよい。一例では、無線通信ユニット110は、少なくとも２つのアンテナ（例えば、アンテナ112及び114）に関連付けられてもよく、及び／又は無線通信ユニット130は、少なくとも２つのアンテナ（例えば、アンテナ132及び134）に関連付けられてもよい。
【００３６】
或る例示的な実施例では、アンテナ112、114、132及び／又は134は、無線通信信号、ブロック、フレーム、送信ストリーム、パケット、メッセージ及び／又はデータを送信及び／又は受信するのに適したいずれかの種類のアンテナを含んでもよい。例えば、アンテナ112、114、132及び134は、１つ以上のアンテナ素子、コンポーネント、ユニット、組み立て体及び／又はアレイのいずれか適切な構成、構造及び／又は配置を含んでもよい。例えば、アンテナ112、114、132及び／又は134は、フェーズドアレイアンテナ、ダイポールアンテナ、単一素子アンテナ、一式の切り替えビームアンテナ及び／又は同様のものを含んでもよい。
【００３７】
或る実施例では、アンテナ112、114、132及び／又は134は、別々の送信及び受信アンテナ素子を使用して送信及び受信機能を実施してもよい。或る実施例では、アンテナ112、114、132及び／又は134は、共通及び／又は統合の送信／受信素子を使用して送信及び／又は受信機能を実施してもよい。
【００３８】
或る例示的な実施例では、無線通信ユニット130は、少なくとも１つの無線機142と、無線機142により実行される通信を制御する少なくとも１つのコントローラ144とを含んでもよく、及び／又は無線通信ユニット110は、少なくとも１つの無線機143と、無線機143により実行される通信を制御する少なくとも１つのコントローラ145とを含んでもよい。例えば、無線機142及び／又は143は、無線通信信号、RF信号、フレーム、ブロック、送信ストリーム、パケット、メッセージ、データ項目及び／又はデータを送信及び／又は受信可能な１つ以上の無線送信機、受信機及び／又はトランシーバを含んでもよい。
【００３９】
或る例示的な実施例では、無線機142及び／又は143は、必要に応じてアンテナビームフォーミング方法を実行可能でもよいMIMO（multiple  input  multiple  output）送受信システム（図示せず）を含んでもよい。
【００４０】
或る例示的な実施例では、無線機142及び／又は143は、必要に応じてデータビットをデータシンボルに符号化及び／又は復号化するターボ復号化器及び／又はターボ符号化器（図示せず）を含んでもよい。
【００４１】
或る例示的な実施例では、無線機142及び／又は143は、例えばノード104とUE102との間の下りリンクチャネルでOFDM信号を通信し、例えば、UE102とノード104との間の上りリンクチャネルでSC-FDMA信号を通信するように構成されたOFDM及び／又はSC-FDMA変調器及び／又は復調器（図示せず）を含んでもよい。
【００４２】
或る例示的な実施例では、無線通信ユニット110は、AP106とWLANリンクを確立してもよい。例えば、無線通信ユニット110は、１つ以上のSTA（例えば、１つ以上のWiFi  STA、WLAN  STA及び／又はDMG  STA）の機能を実行してもよい。WLANリンクは、上りリンク及び／又は下りリンクを含んでもよい。WLAN下りリンクは、例えば、AP106から１つ以上のSTAへの一方向性リンクを含んでもよく、宛先STAから送信元STAへの一方向性リンクを含んでもよい。上りリンクは、例えば、STAからAP106への一方向性リンクを含んでもよく、送信元STAから宛先STAへの一方向性リンクを含んでもよい。
【００４３】
或る例示的な実施例では、UE102、ノード104及び／又はAP106はまた、例えば、プロセッサ124、入力ユニット116、出力ユニット118、メモリユニット120及び記憶ユニット122のうち１つ以上を含んでもよい。UE102、ノード104及び／又はAP106は、任意選択で他の適切なハードウェアコンポーネント及び／又はソフトウェアコンポーネントを含んでもよい。或る例示的な実施例では、１つ以上UE102、ノード104及び／又はAP106の一部又は全部は、共通の筐体又はパッケージで囲われてもよく、１つ以上の有線又は無線リンクを使用して相互接続又は動作可能に関連付けされてもよい。他の実施例では、１つ以上のUE102、ノード104及び／又はAP106のコンポーネントは、複数又は別個のデバイスの間に分散されてもよい。
【００４４】
プロセッサ124は、例えば、中央処理装置（CPU）、デジタルシグナルプロセッサ（DSP）、１つ以上のプロセッサコア、シングルコアのプロセッサ、デュアルコアのプロセッサ、複数コアのプロセッサ、マイクロプロセッサ、ホストプロセッサ、コントローラ、複数のプロセッサ若しくはコントローラ、チップ、マイクロチップ、１つ以上の回路、回路、論理ユニット、集積回路（IC）、特定用途向けIC（ASIC）又は他の適切な多目的又は特殊プロセッサ若しくはコントローラを含む。プロセッサ124は、例えば、UE102、ノード104及び／又はAP106のオペレーティングシステム（OS）、及び／又は１つ以上の適切なアプリケーションの命令を実行する。
【００４５】
入力ユニット116は、例えば、キーボード、キーパッド、マウス、タッチスクリーン、タッチパッド、トラックボール、スタイラス、マイクロフォン、又は他の適切なポインティングデバイス若しくは入力デバイスを含む。出力ユニット118は、例えば、モニタ、スクリーン、タッチスクリーン、フラットパネルディスプレイ、陰極線管（CRT）ディスプレイユニット、液晶ディスプレイ（LCD）ディスプレイユニット、プラズマディスプレイユニット、１つ以上のオーディオスピーカ若しくはイヤホン、又は他の適切な出力デバイスを含む。
【００４６】
メモリユニット120は、例えば、ランダムアクセスメモリ（RAM）、読み取り専用メモリ（ROM）、ダイナミックRAM（DRAM）、シンクロナスDRAM（SD-RAM）、フラッシュメモリ、揮発性メモリ、不揮発性メモリ、キャッシュメモリ、バッファ、短期メモリユニット、長期メモリユニット、又は他の適切なメモリユニットを含む。記憶ユニット122は、例えば、ハードディスクドライブ、フロッピー（登録商標）ディスクドライブ、コンパクトディスク（CD）ドライブ、CD-ROMドライブ、DVDドライブ、他の適切な取り外し可能若しくは取り外し不可能な記憶ユニットを含む。メモリユニット120及び／又は記憶ユニット122は、例えば、UE102、ノード104及び／又はAP106により処理されるデータを格納してもよい。
【００４７】
或る例示的な実施例では、UE102は、ノード104と通信するためにセルラ接続（例えば、LTE（Long  Term  Evolution）セルラ接続又はUMTS（Universal  Mobile  Telecommunications  System）接続）を利用し、AP106と通信するためにWLAN接続（例えば、WiFi（Wireless-Fidelity）接続）を利用するように構成されてもよい。
【００４８】
或る例示的な実施例では、UE102は、非セルラネットワークのアクセスネットワーク情報を発見した後に、非セルラネットワーク（例えば、ネットワーク107のAP106）と接続を確立することができてもよい。
【００４９】
或る例示的な実施例では、UE102は、例えば、非セルラネットワーク107に対応するアクセスネットワーク情報に基づいて、非セルラネットワーク107にアクセスすることができてもよい。例えば、UE102は、AP106により制御されるWLANにアクセスするためにWLANアクセス情報を使用してもよい。
【００５０】
非セルラネットワークに関してここで使用される“アクセスネットワーク情報”という用語は、非セルラネットワークを発見、アクセス及び／又は接続するために、デバイス（例えば、UE102）により使用され得るいずれかの情報を含んでもよい。
【００５１】
一例では、AP106により制御されるWLANに対応するアクセスネットワーク情報は、AP106のアドレス、AP106のサービスセット識別情報（SSID：Service  Set  Identification）、AP106の基本サービスセット識別情報（BSSID：Basic  Service  Set  Identification）、AP106と通信するための無線通信周波数帯域、AP106と通信するための無線通信周波数チャネル、AP106の物理レイヤ（PHY）の１つ以上の属性、安全なWLAN通信に対応するセキュリティ及び／又は認証情報（例えば、WLANセキュリティモード及び／又はWLANセキュリティ証明書）、及び／又は他の情報（例えば、ローミングコンソーシアム（Roaming  Consortium）、オペレータのフレンドリー名（Operator  Friendly  Name）、ネットワークアクセス識別子（NAI：Network  Access  Identifier）範囲、ドメイン名等）を含んでもよい。
【００５２】
或る例示的な実施例では、非セルラネットワーク（例えば、WLANネットワーク）のアクセスネットワーク情報は変化してもよい。この理由は、例えば、非セルラネットワーク（例えば、WLANネットワーク）の配置及び／又は構成が、例えば頻繁に変化し得るからである。従って、ネットワーク発見のための静的な機構（例えば、UE102におけるWLANアクセス情報の事前提供）は、効率的でないことがあり、及び／又はUE102におけるWLANアクセス情報の動的な更新を可能にしないことがある。
【００５３】
或る例示的な実施例では、非セルラネットワーク107のアクセスネットワーク情報をUE102に提供するためにANDSF（Access  Network  Discovery  and  Selection  Function）機構を使用することは、効率的でないことがあり、及び／又は或る状況では適切でないことがある。例えば、ANDSF機構のオーバーヘッドは、通信されるADNSFメッセージの数及び／又はレートの増加と共に増加する可能性がある。この理由は、例えば、ANDSF機構は、OMA-DM（OMA（Open  Mobile  Alliance）  Device  Management）のようなハイレベルのプロトコルに基づき得るからである。従って、ANDSF機構は、例えばISMP（Inter-System  Mobility  Policy）及び／又はISRP（Inter-System Routing Policy）のように、本質的に動的でない情報を配信するには十分になり得る。しかし、ANDSF機構は、頻繁に変化し得る情報（例えば、アクセスネットワーク情報）を配信するには効率的でない可能性がある。更に、UE102は、アイドルモードで動作するときにANDSF機構を使用することができないことがある。この理由は、UEは、アクセスネットワーク情報を受信するために、ANDSFエンティティに接続する必要があり得るからである。従って、ANDSF機構を介してUEにアクセスネットワーク情報を配信することは、ANDSF機構の過度の使用を要求する可能性があり、これは、アクセス及び／又はコアネットワークのオーバーヘッドを生じる可能性があり、及び／又はUE102のバッテリリソースの浪費を生じる可能性がある。
【００５４】
或る例示的な実施例では、ノード104は、例えば以下に説明するように、非セルラネットワーク107のアクセスネットワーク情報をUE102に提供してもよい。
【００５５】
或る例示的な実施例では、ノード104は、非セルラネットワーク107を含み、１つ以上の非セルラネットワークのアクセスネットワーク情報を受信してもよい。
【００５６】
或る例示的な実施例では、ノード104はまた、非セルラネットワークの位置、非セルラネットワークのカバレッジエリア、非セルラネットワークのネットワーク負荷及び／又は非セルラネットワークに関する他の情報に関する情報を受信してもよい。
【００５７】
或る例示的な実施例では、ノード104は、１つ以上のソースから、及び／又は１つ以上の機構、インタフェース及び／又は接続を介して、非セルラネットワークのアクセスネットワーク情報及び／又は他の情報を受信してもよい。
【００５８】
例えば、ノード104は、ノード104と非セルラネットワークのコントローラとの間の１つ以上の内部インタフェースを介して、セルラネットワーク103と非セルラネットワークとの間の１つ以上の（例えば、独自仕様の及び／又は標準化された）ネットワークインタフェースを介して、及び／又は他のインタフェースを介して、非セルラネットワークのアクセスネットワーク情報及び／又は他の情報を受信してもよい。
【００５９】
一例では、ノード104は、AP106から直接的に非セルラネットワーク107のアクセスネットワーク情報を受信してもよい。
【００６０】
他の例では、ノード104は、AP106と直接的又は間接的に通信し得る他のセルラ又は非セルラノードから非セルラネットワーク107のアクセスネットワーク情報を受信してもよい。
【００６１】
或る例示的な実施例では、ノード104は、例えば以下に説明するように、例えばUE102が接続（Connected）モードで動作しているときに、非セルラネットワーク107のアクセスネットワーク情報をUE102に配信してもよい。
【００６２】
或る例示的な実施例では、ノード104は、例えば以下に説明するように、例えばUE102がアイドル（Idle）モードで動作しているときに、非セルラネットワーク107のアクセスネットワーク情報をUE102に配信してもよい。
【００６３】
或る例示的な実施例では、ノード104は、セルラ通信媒体で制御メッセージを送信してもよい。制御メッセージは、例えば以下に説明するように、非セルラネットワーク107のアクセスネットワーク情報を含む。
【００６４】
或る例示的な実施例では、UE102は、ノード104から制御メッセージを受信してもよく、非セルラアクセスネットワーク情報に基づいて非セルラネットワーク107と通信してもよい。
【００６５】
例えば、UE102は、ノード104からAP106により管理されるWLANのアクセスネットワーク情報を含む制御メッセージを受信してもよく、UE102は、例えばAP106と接続を確立するために、アクセスネットワーク情報に基づいてAP106と通信してもよい。
【００６６】
或る例示的な実施例では、ノード104は、非セルラネットワーク107のアクセスネットワーク情報を含む制御メッセージをブロードキャストしてもよい。
【００６７】
或る例示的な実施例では、制御メッセージをブロードキャストすることは、例えば、UEがノード104により管理されるセルに在圏していたとしても、ノード104のカバレッジエリア内のUE（例えば、UE102）が非セルラネットワーク107のアクセスネットワーク情報を発見することを可能にしてもよい。
【００６８】
これらの実施例によれば、UE102は、例えばUE102がアイドルモードで動作している間であっても、例えば非セルラネットワーク107を含む１つ以上の非セルラネットワークのアクセスネットワーク情報を収集し得る。
【００６９】
或る例示的な実施例では、UE102は、非セルラネットワーク（例えばAP106により管理されるWLAN）に後に接続するために、アクセスネットワーク情報を使用してもよい。
【００７０】
或る例示的な実施例では、UE102は、ノード104から受信される非セルラネットワーク107のアクセスネットワーク情報がANDSFエンティティから受信され得る非セルラネットワーク107のアクセスネットワーク情報に優先し得るように構成されてもよい。
【００７１】
或る例示的な実施例では、ノード104によりブロードキャストされる制御メッセージの一部として非セルラネットワーク107のアクセスネットワーク情報を配信することは、例えばANDSF機構を介したアクセスネットワーク情報の配信に比べて、有利になり得る。
【００７２】
例えば、ノード104によりブロードキャストされる制御メッセージの一部として非セルラネットワークのアクセスネットワーク情報を配信することは、UEがアイドルモードで動作している間であっても、UE102が非セルラネットワーク107のアクセスネットワーク情報を受信することを可能にし得る。従って、UE102の電力消費、従って、UE102のバッテリ浪費が低減され得る。
【００７３】
更に又は或いは、ノード104によりブロードキャストされる制御メッセージの一部として非セルラネットワーク107のアクセスネットワーク情報をブロードキャストすることは、例えばANDSF機構と比べて、コアネットワークのリソースを節約し得る。ANDSF機構は、集中管理のANDSFノードからアクセスネットワーク情報の取得を必要とすることがある。
【００７４】
更に又は或いは、ノード104によりブロードキャストされる制御メッセージの一部として非セルラネットワーク107のアクセスネットワーク情報をブロードキャストすることは、UE102がAP106をスキャンして検出するためのスキャン期間を短縮し得る。従って、UE102とAP106との間の接続を確立するための接続時間が低減され得る。
【００７５】
従って、ノード104によりブロードキャストされる制御メッセージの一部として非セルラネットワーク107のアクセスネットワーク情報をブロードキャストすることは、UE102のバッテリを節約し得る。
【００７６】
或る例示的な実施例では、ノード104は、１つ以上の基準（例えば、日時、ネットワーク負荷及び／又は他の属性）に基づいて、ブロードキャストされるアクセスネットワーク情報を決定してもよい。
【００７７】
或る例示的な実施例では、ノード104は、WLAN  APエントリ（例えば、AP106に対応するエントリを含む）のリストの形式でアクセスネットワーク情報をブロードキャストしてもよい。WLAN  APエントリは、例えば、以下の１つ以上を含むWLAN  APに対応するアクセスネットワーク情報を含んでもよい。
WLAN  AP  SSID
WLAN  AP  BSSID
WLAN  APチャネル番号及び／又は周波数
WLAN  AP  PHYタイプ及び／又は機能
ローミングコンソーシアム
オペレータのフレンドリー名
ネットワークアクセス識別子（NAI）範囲
ドメイン名、及び／又は
１つ以上の他のパラメータ
或る例示的な実施例では、ノード104は、少なくとも１つの無線リソース制御（RRC：Radio-Resource-Control）シグナリングメッセージの一部として、非セルラアクセスネットワーク情報を送信してもよい。
【００７８】
或る例示的な実施例では、ノード104は、例えば以下に説明するように、少なくとも１つのRRCシステム情報ブロック（SIB：System
Information  Block）の一部として非セルラアクセスネットワーク情報を送信してもよい。
【００７９】
或る例示的な実施例では、ノード104は、１つ以上の非セルラネットワークの非セルラアクセスネットワーク情報を含む１つ以上のSIBメッセージをブロードキャストしてもよい。例えば、非セルラネットワーク情報は、SIBメッセージの少なくとも１つの専用のフィールドの一部として含まれてもよい。
【００８０】
或る例示的な実施例では、SIBメッセージは、非セルラアクセスネットワーク情報を通信するために規定された専用のSIBを含んでもよい。
【００８１】
１つの例示的な実施例では、非セルラアクセスネットワーク情報は、専用のSIBタイプ16（“SIB16”）又は他のタイプの一部として含まれてもよい。SIB16は、例えば、inter-RAT（inter-Radio-Access-Technologies）モビリティ及びネットワーク選択／再選択に関する情報を含むように規定されてもよい。例えば、SIB16は、WLAN周辺アクセスポイントについての情報を含んでもよい。WLAN周辺アクセスポイントは、WLANへの再選択／WLANからの再選択に関してもよい。
【００８２】
一例では、SIB16は、例えば以下のような非セルラアクセスネットワーク情報を含んでもよい。
【００８３】
【表１】
2017163564.tif 000003
他の実施例では、SIBは、非セルラアクセスネットワーク情報パラメータ及び／又は他の更なる非セルラアクセスネットワーク情報パラメータのいずれか一部を含む他のフォーマットの非セルラアクセスネットワーク情報を含んでもよい。
【００８４】
他の実施例では、非セルラアクセスネットワーク情報は、他のSIB又は他の情報要素（IE：Information  Element）（例えば、SIBタイプ8（“SIB8”）IE）の少なくとも１つの専用のフィールド）の一部として含まれてもよい。
【００８５】
或る例示的な実施例では、ノード104は、UEにアドレス指定された制御メッセージの一部として非セルラアクセスネットワーク情報を送信してもよい。
【００８６】
例えば、ノード104は、UE102にアドレス指定された制御メッセージの一部として、APにより管理されるWLANのアクセスネットワーク情報を送信してもよい。
【００８７】
或る例示的な実施例では、ノード104は、例えばUEが接続モードで動作しているときに（例えばUE102がノード104に接続しているときに）、UEにアドレス指定された制御メッセージを送信してもよい。
【００８８】
或る例示的な実施例では、ノード104は、UEにアドレス指定された専用のメッセージを介して（例えば専用のRRCシグナリングを介して）、ノード104に接続された特定のUE（例えばUE102）に非セルラアクセスネットワーク情報を送信してもよい。
【００８９】
或る例示的な実施例では、ノード104は、例えばUE102がノード104に接続されているときに、比較的高い精度でUE102の位置を認識してもよい。
【００９０】
或る例示的な実施例では、ノード104は、例えばUE102がノード104に接続されているときに、保護された方式で非セルラアクセスネットワーク情報をUE102に提供することができてもよい。例えば、ノード104は、UE102に送信される非セルラアクセスネットワーク情報を暗号化してもよい。
【００９１】
或る例示的な実施例では、UE102とノード104との間の接続は、ノード104が非セルラネットワークに対応するセキュリティ及び／又は認証情報をUE102に提供することを可能にしてもよい。
【００９２】
例えば、ノード104は、AP106により管理されるWLANのセキュリティ及び／又は認証情報を含む非セルラネットワーク107のアクセスネットワーク情報をUE102に提供してもよい。
【００９３】
或る例示的な実施例では、ノード104は、WLAN  APエントリ（例えば、AP106に対応するエントリを含む）のリストの形式でアクセスネットワーク情報をUE102に送信してもよい。WLAN  APエントリは、例えば、以下の１つ以上を含むWLAN  APに対応するアクセスネットワーク情報を含んでもよい。
WLAN  AP  SSID
WLAN  AP  BSSID
WLAN  APチャネル番号及び／又は周波数
ローミングコンソーシアム
オペレータのフレンドリー名
ネットワークアクセス識別子（NAI）範囲
ドメイン名
WLAN  AP  PHYタイプ及び／又は機能
WLANのWLANセキュリティモード（例えば、WEP（Wired  Equivalent  Privacy）、WAP（Wi-Fi  Protected  Access）、WAP2（WAP  II）等）
WLANのWLANセキュリティ証明書（WEP鍵、WPA-PSK（WPA  Pre-Shared  Key）等）及び／又は
１つ以上の他のパラメータ
或る例示的な実施例では、ノード104は、例えばUE102からの要求に応じて、非セルラアクセスネットワーク情報をUE102に送信してもよい。
【００９４】
一例では、UE102は、例えば、周期的に、UEがWLAN接続を確立しようとするときに、及び／又は他のタイミングで、ノード104からの非セルラアクセスネットワーク情報を要求してもよい。
【００９５】
或る例示的な実施例では、UE102は、RRCシグナリングメッセージの一部として（例えば、専用のRRCシグナリングメッセージの一部として）要求をノード104に送信してもよい。
【００９６】
或る例示的な実施例では、ノード104は、例えばUE102からの要求が受信されない場合であっても、要求なしの方式で非セルラアクセスネットワーク情報をUE102に送信（プッシュ）してもよい。例えば、ノード104は、周期的に又は他のタイミング方式に従って非セルラアクセスネットワーク情報をUE102に送信してもよい。
【００９７】
一例では、ノード104は、ネットワーク構成の変化のとき、アクセスネットワークの変化のとき（例えば、負荷の変化）、及び／又は他の基準に基づいて、非セルラアクセスネットワーク情報をUE102に送信してもよい。
【００９８】
或る例示的な実施例では、ノード104は、UE102にアドレス指定された少なくとも１つのRRCシグナリングメッセージの一部として、非セルラネットワーク107の非セルラアクセスネットワーク情報を送信してもよい。
【００９９】
或る例示的な実施例では、ノード104は、例えば以下に説明するように、UE102にアドレス指定された少なくとも１つの専用のメッセージの一部として、非セルラネットワーク107の非セルラネットワークアクセス情報を送信してもよい。
【０１００】
或る例示的な実施例では、非セルラネットワーク107の非セルラアクセスネットワーク情報は、専用のIE（“非セルラアクセスネットワーク情報IE”）の一部として含まれてもよい。
【０１０１】
例えば、AP106により管理されるWLANのWLANアクセス情報は、例えば以下のように専用のIE（“WLANアクセス情報IE”）の一部として含まれてもよい。
【０１０２】
【表２】
2017163564.tif 000004
一例では、ノード104は、UE102にアドレス指定されたMobilityFromEUTRACommand  RRCメッセージの一部として、非セルラアクセスネットワーク情報IEを送信してもよい。
【０１０３】
例えば、“MobilityFromEUTRACommand”メッセージは、E-UTRA（Evolved  Universal  Terrestrial  Radio  Access）から他のRAT（Radio-Access-Technology）（例えば、3GPP又は非3GPP）へのハンドオーバ又はセル変更、或いは、CDMA2000  1xRTTへの拡張された回線交換（enhanced  Circuit  Switched）フォールバックを命令するために使用されてもよい。“MobilityFromEUTRACommand”メッセージは以下の属性を有してもよい。
シグナリング無線ベアラ（SRB：Signaling  Radio  Bearer）：SRB1
無線リンク制御（RLC：Radio  Link  Control）サービスアクセスポイント（SAP：Service  Access  Point）（RLC-SAP）：AM
論理チャネル：専用の制御チャネル（DCCCH：Dedicated  Control  Channel）
方向：E-UTRANからUE
一例では、“MobilityFromEUTRACommand”メッセージは、例えば以下のようなWLANアクセス情報を含んでもよい。
【０１０４】
【表３】
2017163564.tif 000005
他の例では、ノード104は、UE102にアドレス指定されたDLInformationTransfer  RRCメッセージの一部として、非セルラアクセスネットワーク情報IEを送信してもよい。
【０１０５】
他の例では、ノード104は、UE102にアドレス指定されたRRCConnectionReconfiguration  RRCメッセージの一部として、非セルラアクセスネットワーク情報IEを送信してもよい。
【０１０６】
他の例では、ノード104は、UE102にアドレス指定されたHandoverFromEUTRAPreparationRequest  RRCメッセージの一部として、非セルラアクセスネットワーク情報IEを送信してもよい。
【０１０７】
他の例では、ノード104は、UE102にアドレス指定されたRRCConnectionRelease  RRCメッセージの一部として、非セルラアクセスネットワーク情報IEを送信してもよい。
【０１０８】
他の例では、ノード104は、UE102にアドレス指定されたRCConnectionReject  RRCメッセージの一部として、非セルラアクセスネットワーク情報IEを送信してもよい。
【０１０９】
他の例では、ノード104は、UE102にアドレス指定された他のRRCメッセージの一部として、非セルラアクセスネットワーク情報IEを送信してもよい。例えば、ノード104は、非セルラアクセスネットワーク情報IEを通信するために規定された専用のRRCメッセージの一部として、非セルラアクセスネットワーク情報IEを送信してもよい。
【０１１０】
他の実施例では、RRCメッセージは、非セルラアクセス情報パラメータ及び／又は他の更なる非セルラアクセス情報パラメータのいずれか一部を含む他のフォーマットの非セルラアクセス情報を含んでもよい。
【０１１１】
他の実施例では、非セルラアクセス情報は、他のRRCシグナリングメッセージ又は他の情報要素（IE：Information  Element）の一部として含まれてもよい。
【０１１２】
或る例示的な実施例に従ってセルラネットワークを介して非セルラアクセスネットワーク情報を通信する方法を概略的に示す図２を参照する。或る実施例では、図２の方法の動作の１つ以上は、無線通信システム（例えば、システム100（図１））、無線通信デバイス（例えば、UE102（図１）、ノード104（図１）及び／又はAP106（図１））、及び／又は無線通信ユニット（例えば、無線通信ユニット110及び／又は130（図１））により実行されてもよい。
【０１１３】
ブロック202に示すように、この方法は、セルラノードのカバレッジエリア内における少なくとも１つの非セルラネットワークの非セルラアクセスネットワーク情報を含む少なくとも１つのメッセージを、セルラノードと無線通信デバイスとの間で通信することを含んでもよい。例えば、ノード104（図１）は、例えば前述のように、非セルラネットワーク107（図１）のアクセス情報を含むメッセージをUE102（図１）と通信してもよい。
【０１１４】
ブロック204に示すように、メッセージを通信することは、セルラノードからメッセージを送信することを含んでもよい。例えば、ノード104（図１）は、例えば前述のように、非セルラアクセスネットワーク情報を含む制御メッセージを送信してもよい。
【０１１５】
ブロック206に示すように、セルラノードからメッセージを送信することは、メッセージをブロードキャストすることを含んでもよい。例えば、ノード104（図１）は、例えば前述のように、非セルラアクセスネットワーク情報を含む制御メッセージをブロードキャストしてもよい。
【０１１６】
ブロック208に示すように、セルラノードからメッセージを送信することは、無線通信デバイスにアドレス指定されたユニキャスト又は専用のメッセージとしてメッセージを送信することを含んでもよい。例えば、ノード104（図１）は、例えば前述のように、UE102（図１）にアドレス指定された制御メッセージをUE102（図１）に送信してもよい。
【０１１７】
ブロック210に示すように、メッセージを通信することは、無線通信デバイスでメッセージを受信することを含んでもよい。例えば、UE102（図１）は、例えば前述のように、ノード104（図１）により送信された制御メッセージを受信してもよい。
【０１１８】
ブロック212に示すように、無線通信デバイスでメッセージを受信することは、ブロードキャストメッセージを受信することを含んでもよい。例えば、UE102（図１）は、例えば前述のように、ノード104（図１）からブロードキャスト制御メッセージを受信してもよい。
【０１１９】
ブロック214に示すように、ブロードキャストメッセージを受信することは、無線通信デバイスのアイドル動作中にブロードキャストメッセージを受信することを含んでもよい。例えば、UE102（図１）は、例えば前述のように、UE102（図１）のアイドル動作中又は接続モード中にブロードキャスト制御メッセージを受信してもよい。
【０１２０】
ブロック216に示すように、無線通信デバイスでメッセージを受信することは、無線通信デバイスにアドレス指定されたメッセージを受信することを含んでもよい。例えば、UE102（図１）は、例えば前述のように、UE102（図１）にアドレス指定された専用の制御メッセージを受信してもよい。
【０１２１】
ブロック218に示すように、この方法は、無線通信デバイスとセルラノードとの間で要求メッセージを通信することを含んでもよい。例えば、UE102（図１）は、例えば前述のように、非セルラネットワーク107（図１）の非セルラアクセスネットワーク情報を要求するために、要求をノード104（図１）に送信してもよい。
【０１２２】
ブロック220に示すように、無線通信デバイスでメッセージを受信することは、要求に応じてメッセージを受信することを含んでもよい。例えば、UE102（図１）は、例えば前述のように、要求に応じてノード104（図１）から非セルラネットワーク107（図１）の非セルラアクセスネットワーク情報を受信してもよい。
【０１２３】
ブロック222に示すように、この方法は、非セルラアクセスネットワーク情報に基づいて無線通信デバイスと非セルラアクセスネットワークとの間で通信することを含んでもよい。例えば、UE102（図１）は、例えば前述のように、ノード104（図１）から受信したWLANアクセス情報に基づいてAP106（図１）との接続を確立してもよい。
【０１２４】
或る例示的な実施例による製造物300を概略的に示す図３を参照する。物（プロダクト）300は、ロジック304を格納する過渡的でない機械可読記憶媒体302を含んでもよい。ロジック304は、例えば、UE102（図１）、ノード104（図１）、AP106（図１）、無線通信ユニット110（図１）、無線通信ユニット130（図１）の機能の少なくとも一部を実行するために、及び／又は図２の方法の１つ以上の動作を実行するために使用されてもよい。“過渡的でない機械可読媒体”という用語は、全てのコンピュータ可読媒体を含むことを対象とするが、唯一の例外は過渡的な伝搬信号である。
【０１２５】
或る例示的な実施例では、物300及び／又は機械可読記憶媒体302は、揮発性メモリ、不揮発性メモリ、取り外し可能又は取り外し不可能メモリ、消去可能又は消去不能メモリ、書き込み可能又は再書き込み可能メモリ等を含む、データを格納可能な１つ以上の種類のコンピュータ可読記憶媒体を含んでもよい。例えば、機械可読記憶媒体302は、RAM、DRAM、ダブルデータレートDRAM（DDR-DRAM）、SDRAM、スタティックRAM（SRAM）、ROM、プログラム可能ROM（PROM）、消去可能プログラム可能ROM（EPROM）、電気的消去可能プログラム可能ROM（EEPROM）、コンパクトディスクROM（CD-ROM）、記録可能コンパクトディスク（CD-R）、再書き込み可能コンパクトディスク（CD-RW）、フラッシュメモリ（例えば、NOR又はNANDフラッシュメモリ）、連想メモリ（CAM）、ポリマー（polymer）メモリ、位相変化（phase-change）メモリ、強誘電体（ferroelectric）メモリ、SONOS（silicon-oxide-nitride-oxide-silicon）メモリ、ディスク、フロッピーディスク、ハードドライブ、光ディスク、磁気ディスク、カード、磁気カード、光カード、テープ、カセット等を含んでもよい。コンピュータ可読記憶媒体は、遠隔コンピュータから要求側のコンピュータに、通信リンク（例えば、モデム、無線又はネットワーク接続）を通じて搬送波又は他の伝搬媒体に具現されたデータ信号により伝達されるコンピュータプログラムをダウンロード又は伝送することに関与する如何なる適切な媒体を含んでもよい。
【０１２６】
或る例示的な実施例では、ロジック304は、機械により実行された場合、機械に対してここに記載の方法、処理及び／又は動作を実行させ得る命令、データ及び／又はコードを含んでもよい。例えば、機械は、如何なる適切な処理プラットフォーム、コンピュータプラットフォーム、コンピュータデバイス、処理デバイス、コンピュータシステム、処理システム、コンピュータ、プロセッサ等を含んでもよく、ハードウェア、ソフトウェア、ファームウェア等の如何なる適切な組み合わせを使用して実装されてもよい。
【０１２７】
或る例示的な実施例では、ロジック304は、ソフトウェア、ソフトウェアモジュール、アプリケーション、プログラム、サブルーチン、命令、命令セット、コンピュータコード、ワード、値、シンボル等を含んでもよく、このようなものとして実装されてもよい。命令は、ソースコード、コンパイル済コード、インタープリタ型コード、実行可能コード、静的コード、動的コード等のように、如何なる種類のコードを含んでもよい。命令は、プロセッサに特定の機能を実行するように指示する所定のコンピュータ言語、手法又はシンタックスに従って実装されてもよい。命令は、C、C++、Java（登録商標）、BASIC、Matlab、Pascal、Visual  BASIC、アセンブリ言語、機械コード等のような、如何なる適切なハイレベル、ローレベル、オブジェクト指向型、ビジュアル、コンパイル済、及び／又はインタープリタ型プログラミング言語を使用して実装されてもよい。
【０１２８】
＜例＞
以下の例は更なる実施例に関する。 
例１は、２つ以上のアンテナと、セルラ通信媒体で制御メッセージを送信する無線機とを有するeNB（Evolved  Node  B）を含み、制御メッセージは、前記eNBのカバレッジエリア内における少なくとも１つの非セルラネットワークのアクセスネットワーク情報を含む。
【０１２９】
例２は、例１の対象を含み、任意選択で、前記アクセスネットワーク情報は、無線ローカルエリアネットワーク（WLAN）にアクセスするためのWLANアクセス情報を有する。
【０１３０】
例３は、例２の対象を含み、任意選択で、前記WLANアクセス情報は、WLANアクセスポイント（AP）のWLAN  APサービスセット識別情報（SSID）、前記WLAN  APのWLAN  AP基本サービスセット識別情報（BSSID）、前記WLAN  APのローミングコンソーシアム、前記WLAN  APのオペレータのフレンドリー名、前記WLAN  APのネットワークアクセス識別子（NAI）範囲、前記APのドメイン名、前記WLAN  APにより使用されるWLAN周波数帯域、前記WLAN  APにより使用されるWLANチャネル、及び前記WLAN  APの物理レイヤ（PHY）の１つ以上の属性を有するグループから選択された１つ以上の情報エントリを有する。
【０１３１】
例４は、例１〜３のうちいずれか１つの対象を含み、任意選択で、前記制御メッセージは、無線リソース制御（RRC）シグナリングメッセージを有する。
【０１３２】
例５は、例１〜３のうちいずれか１つの対象を含み、任意選択で、前記制御メッセージは、前記アクセスネットワーク情報を含むシステム情報ブロック（SIB）を有する。
【０１３３】
例６は、例１〜５のうちいずれか１つの対象を含み、任意選択で、前記無線機は、ユーザ装置（UE）にアドレス指定された前記制御メッセージを送信する。
【０１３４】
例７は、例６の対象を含み、任意選択で、前記アクセスネットワーク情報は、前記非セルラネットワークでの安全な接続のセキュリティ情報を有する。
【０１３５】
例８は、例７の対象を含み、任意選択で、前記アクセスネットワーク情報は、前記安全な接続の無線ローカルエリアネットワーク（WLAN）セキュリティモード及び前記安全な接続のWLANセキュリティ証明書を有するグループから選択された１つ以上の情報エントリを有する。
【０１３６】
例９は、例１〜５のうちいずれか１つの対象を含み、任意選択で、前記無線機は、前記セルラ通信媒体で前記制御メッセージをブロードキャストする。
【０１３７】
例１０は、少なくとも１つの非セルラネットワークにアクセスするためのアクセスネットワーク情報を含むメッセージをeNB（Evolved  Node  B）から受信し、前記アクセスネットワーク情報に基づいて前記非セルラネットワークと通信する無線機を有するユーザ装置（UE）を含む。
【０１３８】
例１１は、例１０の対象を含み、任意選択で、前記アクセスネットワーク情報は、無線ローカルエリアネットワーク（WLAN）にアクセスするためのWLANアクセス情報を有する。
【０１３９】
例１２は、例１１の対象を含み、任意選択で、前記WLANアクセス情報は、WLANアクセスポイント（AP）のWLAN  APサービスセット識別情報（SSID）、前記WLAN  APのWLAN  AP基本サービスセット識別情報（BSSID）、前記WLAN  APにより使用されるWLAN周波数帯域、前記WLAN  APにより使用されるWLANチャネル、及び前記WLAN  APの物理レイヤ（PHY）の１つ以上の属性を有するグループから選択された１つ以上の情報エントリを有する。
【０１４０】
例１３は、例１０〜１２の対象を含み、任意選択で、前記メッセージは、無線リソース制御（RRC）シグナリングメッセージを有する。
【０１４１】
例１４は、例１０〜１３のうちいずれか１つの対象を含み、任意選択で、前記メッセージは、前記アクセスネットワーク情報を含むシステム情報ブロック（SIB）を有する。
【０１４２】
例１５は、例１０〜１４のうちいずれか１つの対象を含み、任意選択で、前記無線機は、前記UEのアイドル又は接続動作中に前記メッセージを受信し、前記メッセージはブロードキャストメッセージを有する。
【０１４３】
例１６は、例１０〜１４のうちいずれか１つの対象を含み、任意選択で、前記メッセージは、前記UEにアドレス指定された専用のメッセージを有する。
【０１４４】
例１７は、例１６の対象を含み、任意選択で、前記アクセスネットワーク情報は、前記非セルラネットワークでの安全な接続のセキュリティ情報を有する。
【０１４５】
例１８は、例１７の対象を含み、任意選択で、前記アクセスネットワーク情報は、前記安全な接続の無線ローカルエリアネットワーク（WLAN）セキュリティモード及び前記安全な接続のWLANセキュリティ証明書を有するグループから選択された１つ以上の情報エントリを有する。
【０１４６】
例１９は、例１６〜１８のうちいずれか１つの対象を含み、任意選択で、前記無線機は、前記eNBに要求を送信し、前記要求に応じて前記メッセージを受信する。
【０１４７】
例２０は、eNB（Evolved  Node  B）とユーザ装置（UE）との間で、前記eNBのカバレッジエリア内における少なくとも１つの無線ローカルエリアネットワーク（WLAN）のWLANアクセス情報を含む少なくとも１つのメッセージを通信することを有する方法を含む。
【０１４８】
例２１は、例２０の対象を含み、任意選択で、前記メッセージを通信することは、前記UEで前記メッセージを受信することを有する。
【０１４９】
例２２は、例２１の対象を含み、任意選択で、前記メッセージを受信することは、前記UEのアイドル動作中に前記メッセージを受信することを有し、前記メッセージはブロードキャストメッセージを有する。
【０１５０】
例２３は、例２１の対象を含み、任意選択で、前記メッセージを受信することは、ブロードキャストメッセージを受信することを有する。
【０１５１】
例２４は、例２１の対象を含み、任意選択で、前記メッセージを受信することは、前記UEにアドレス指定された前記メッセージを受信することを有する。
【０１５２】
例２５は、例２４の対象を含み、任意選択で、前記WLANアクセス情報は、前記WLANでの安全な接続のセキュリティ情報を有する。
【０１５３】
例２６は、例２５の対象を含み、任意選択で、前記WLANは、前記安全な接続のWLANセキュリティモード及び前記安全な接続のWLANセキュリティ証明書を有するグループから選択された１つ以上の情報エントリを有する。
【０１５４】
例２７は、例２１〜２６のうちいずれか１つの対象を含み、任意選択で、前記アクセスネットワーク情報に基づいて前記非セルラネットワークと通信することを有する。
【０１５５】
例２８は、例２０の対象を含み、任意選択で、前記メッセージを通信することは、前記eNBから前記メッセージを送信することを有する。
【０１５６】
例２９は、例２８の対象を含み、任意選択で、前記メッセージを送信することは、前記メッセージをブロードキャストすることを有する。
【０１５７】
例３０は、例２８の対象を含み、任意選択で、前記メッセージを送信することは、前記UEにアドレス指定された前記メッセージを送信することを有する。
【０１５８】
例３１は、例３０の対象を含み、任意選択で、前記WLANアクセス情報は、前記WLANでの安全な接続のセキュリティ情報を有する。
【０１５９】
例３２は、例３１の対象を含み、任意選択で、前記WLANアクセス情報は、前記安全な接続のWLANセキュリティモード及び前記安全な接続のWLANセキュリティ証明書を有するグループから選択された１つ以上の情報エントリを有する。
【０１６０】
例３３は、例２０〜３２のうちいずれか１つの対象を含み、任意選択で、前記WLANアクセス情報は、WLANアクセスポイント（AP）のWLAN  APサービスセット識別情報（SSID）、前記WLAN  APのWLAN  AP基本サービスセット識別情報（BSSID）、前記WLAN  APのローミングコンソーシアム、前記WLAN  APのオペレータのフレンドリー名、前記WLAN  APのネットワークアクセス識別子（NAI）範囲、前記APのドメイン名、前記WLAN  APにより使用されるWLAN周波数帯域、前記WLAN  APにより使用されるWLANチャネル、及び前記WLAN  APの物理レイヤ（PHY）の１つ以上の属性を有するグループから選択された１つ以上の情報エントリを有する。
【０１６１】
例３４は、例２０〜３３のうちいずれか１つの対象を含み、任意選択で、前記メッセージは、無線リソース制御（RRC）シグナリングメッセージを有する。
【０１６２】
例３５は、例２０〜３４のうちいずれか１つの対象を含み、任意選択で、前記メッセージは、前記WLANアクセス情報を含むシステム情報ブロック（SIB）を有する。
【０１６３】
例３６は、機械により実行された場合、eNB（Evolved  Node  B）とユーザ装置（UE）との間で、前記eNBのカバレッジエリア内における少なくとも１つの無線ローカルエリアネットワーク（WLAN）のWLANアクセス情報を含む少なくとも１つのメッセージを通信することを生じる命令を格納した過渡的でない記憶媒体を含むプロダクトを含む。
【０１６４】
例３７は、例３６の対象を含み、任意選択で、前記メッセージを通信することは、前記UEで前記メッセージを受信することを有する。
【０１６５】
例３８は、例３７の対象を含み、任意選択で、前記メッセージを受信することは、前記UEのアイドル又は接続動作中に前記メッセージを受信することを有し、前記メッセージはブロードキャストメッセージを有する。
【０１６６】
例３９は、例３７の対象を含み、任意選択で、前記メッセージを受信することは、ブロードキャストメッセージを受信することを有する。
【０１６７】
例４０は、例３７の対象を含み、任意選択で、前記メッセージを受信することは、前記UEにアドレス指定された前記メッセージを受信することを有する。
【０１６８】
例４１は、例４０の対象を含み、任意選択で、前記WLANアクセス情報は、前記WLANでの安全な接続のセキュリティ情報を有する。
【０１６９】
例４２は、例４１の対象を含み、任意選択で、前記WLANは、前記安全な接続のWLANセキュリティモード及び前記安全な接続のWLANセキュリティ証明書を有するグループから選択された１つ以上の情報エントリを有する。
【０１７０】
例４３は、例３７〜４２のうちいずれか１つの対象を含み、任意選択で、前記命令は、前記アクセスネットワーク情報に基づいて前記非セルラネットワークと通信することを生じる。
【０１７１】
例４４は、例３６の対象を含み、任意選択で、前記メッセージを通信することは、前記eNBから前記メッセージを送信することを有する。
【０１７２】
例４５は、例４４の対象を含み、任意選択で、前記メッセージを送信することは、前記メッセージをブロードキャストすることを有する。
【０１７３】
例４６は、例４４の対象を含み、任意選択で、前記メッセージを送信することは、前記UEにアドレス指定された前記メッセージを送信することを有する。
【０１７４】
例４７は、例４６の対象を含み、任意選択で、前記WLANアクセス情報は、前記WLANでの安全な接続のセキュリティ情報を有する。
【０１７５】
例４８は、例４７の対象を含み、任意選択で、前記WLANアクセス情報は、前記安全な接続のWLANセキュリティモード及び前記安全な接続のWLANセキュリティ証明書を有するグループから選択された１つ以上の情報エントリを有する。
【０１７６】
例４９は、例３６〜４８のうちいずれか１つの対象を含み、任意選択で、前記WLANアクセス情報は、WLANアクセスポイント（AP）のWLAN  APサービスセット識別情報（SSID）、前記WLAN  APのWLAN  AP基本サービスセット識別情報（BSSID）、前記WLAN  APのローミングコンソーシアム、前記WLAN  APのオペレータのフレンドリー名、前記WLAN  APのネットワークアクセス識別子（NAI）範囲、前記APのドメイン名、前記WLAN  APにより使用されるWLAN周波数帯域、前記WLAN  APにより使用されるWLANチャネル、及び前記WLAN  APの物理レイヤ（PHY）の１つ以上の属性を有するグループから選択された１つ以上の情報エントリを有する。
【０１７７】
例５０は、例３６〜４９のうちいずれか１つの対象を含み、任意選択で、前記制御メッセージは、無線リソース制御（RRC）シグナリングメッセージを有する。
【０１７８】
例５１は、例３６〜５０のうちいずれか１つの対象を含み、任意選択で、前記制御メッセージは、前記WLANアクセス情報を含むシステム情報ブロック（SIB）を有する。
【０１７９】
例５２は、eNB（Evolved  Node  B）とユーザ装置（UE）との間で、前記eNBのカバレッジエリア内における少なくとも１つの非セルラネットワークの非セルラアクセスネットワーク情報を含む少なくとも１つのメッセージを通信する手段を有する装置を含む。
【０１８０】
例５３は、例５２の対象を含み、任意選択で、前記メッセージを通信することは、前記UEで前記メッセージを受信することを有する。
【０１８１】
例５４は、例５３の対象を含み、任意選択で、前記メッセージを受信することは、前記UEのアイドル又は接続動作中に前記メッセージを受信することを有し、前記メッセージはブロードキャストメッセージを有する。
【０１８２】
例５５は、例５３の対象を含み、任意選択で、前記メッセージを受信することは、ブロードキャストメッセージを受信することを有する。
【０１８３】
例５６は、例５３の対象を含み、任意選択で、前記メッセージを受信することは、前記UEにアドレス指定された前記メッセージを受信することを有する。
【０１８４】
例５７は、例５６の対象を含み、任意選択で、前記非セルラアクセスネットワーク情報は、前記非セルラネットワークでの安全な接続のセキュリティ情報を有する。
【０１８５】
例５８は、例５７の対象を含み、任意選択で、前記非セルラアクセスネットワーク情報は、前記安全な接続のセキュリティモード及び前記安全な接続のセキュリティ証明書を有するグループから選択された１つ以上の情報エントリを有する。
【０１８６】
例５９は、例５３〜５８のうちいずれか１つの対象を含み、任意選択で、前記アクセスネットワーク情報に基づいて前記非セルラネットワークと通信する手段を有する。
【０１８７】
例６０は、例５２の対象を含み、任意選択で、前記メッセージを通信することは、前記eNBから前記メッセージを送信することを有する。
【０１８８】
例６１は、例６０の対象を含み、任意選択で、前記メッセージを送信することは、前記メッセージをブロードキャストすることを有する。
【０１８９】
例６２は、例７０の対象を含み、任意選択で、前記メッセージを送信することは、前記UEにアドレス指定された前記メッセージを送信することを有する。
【０１９０】
例６３は、例６２の対象を含み、任意選択で、前記非セルラアクセスネットワーク情報は、前記非セルラネットワークでの安全な接続のセキュリティ情報を有する。
【０１９１】
例６４は、例６３の対象を含み、任意選択で、前記非セルラアクセスネットワーク情報は、前記安全な接続のセキュリティモード及び前記安全な接続のセキュリティ証明書を有するグループから選択された１つ以上の情報エントリを有する。
【０１９２】
例６５は、例５２〜６４のうちいずれか１つの対象を含み、任意選択で、前記非セルラネットワークは、無線ローカルエリアネットワーク（WLAN）を有する。
【０１９３】
例６６は、例６５の対象を含み、任意選択で、前記非セルラアクセスネットワーク情報は、WLANアクセスポイント（AP）のWLAN  APサービスセット識別情報（SSID）、前記WLAN  APのWLAN  AP基本サービスセット識別情報（BSSID）、前記WLAN  APのローミングコンソーシアム、前記WLAN  APのオペレータのフレンドリー名、前記WLAN  APのネットワークアクセス識別子（NAI）範囲、前記APのドメイン名、前記WLAN  APにより使用されるWLAN周波数帯域、前記WLAN  APにより使用されるWLANチャネル、及び前記WLAN  APの物理レイヤ（PHY）の１つ以上の属性を有するグループから選択された１つ以上の情報エントリを有する。
【０１９４】
例６７は、例５２〜６６のうちいずれか１つの対象を含み、任意選択で、前記メッセージは、無線リソース制御（RRC）シグナリングメッセージを有する。
【０１９５】
例６８は、例５２〜６７のうちいずれか１つの対象を含み、任意選択で、前記メッセージは、前記非セルラアクセスネットワーク情報を含むシステム情報ブロック（SIB）を有する。
【０１９６】
例６９は、１つ以上のアンテナと、セルラ通信媒体で制御メッセージを送信する無線機とを有するセルラノードを含み、制御メッセージは、前記セルラノードのカバレッジエリア内における少なくとも１つの非セルラネットワークのアクセスネットワーク情報を含む。
【０１９７】
例７０は、例６９の対象を含み、任意選択で、前記アクセスネットワーク情報は、無線ローカルエリアネットワーク（WLAN）にアクセスするためのWLANアクセス情報を有する。
【０１９８】
例７１は、例７０の対象を含み、任意選択で、前記WLANアクセス情報は、WLANアクセスポイント（AP）のWLAN  APサービスセット識別情報（SSID）、前記WLAN  APのWLAN  AP基本サービスセット識別情報（BSSID）、前記WLAN  APのローミングコンソーシアム、前記WLAN  APのオペレータのフレンドリー名、前記WLAN  APのネットワークアクセス識別子（NAI）範囲、前記APのドメイン名、前記WLAN  APにより使用されるWLAN周波数帯域、前記WLAN  APにより使用されるWLANチャネル、及び前記WLAN  APの物理レイヤ（PHY）の１つ以上の属性を有するグループから選択された１つ以上の情報エントリを有する。
【０１９９】
例７２は、例６９〜７１のうちいずれか１つの対象を含み、任意選択で、前記制御メッセージは、無線リソース制御（RRC）シグナリングメッセージを有する。
【０２００】
例７３は、例６９〜７２のうちいずれか１つの対象を含み、任意選択で、前記制御メッセージは、前記アクセスネットワーク情報を含むシステム情報ブロック（SIB）を有する。
【０２０１】
例７４は、例６９〜７３のうちいずれか１つの対象を含み、任意選択で、前記無線機は、ユーザ装置（UE）にアドレス指定された前記制御メッセージを送信する。
【０２０２】
例７５は、例７４の対象を含み、任意選択で、前記アクセスネットワーク情報は、前記非セルラネットワークでの安全な接続のセキュリティ情報を有する。
【０２０３】
例７６は、例７５の対象を含み、任意選択で、前記アクセスネットワーク情報は、前記安全な接続の無線ローカルエリアネットワーク（WLAN）セキュリティモード及び前記安全な接続のWLANセキュリティ証明書を有するグループから選択された１つ以上の情報エントリを有する。
【０２０４】
例７７は、例６９〜７３のうちいずれか１つの対象を含み、任意選択で、前記無線機は、前記セルラ通信媒体で前記制御メッセージをブロードキャストする。
【０２０５】
例７８は、例６９〜７７のうちいずれか１つの対象を含み、任意選択で、eNB（Evolved  Node  B）を有する。
【０２０６】
例７９は、少なくとも１つの非セルラネットワークにアクセスするためのアクセスネットワーク情報を含むメッセージをセルラノードから受信し、前記アクセスネットワーク情報に基づいて前記非セルラネットワークと通信する無線機を有する無線通信デバイスを含む。
【０２０７】
例８０は、例７９の対象を含み、任意選択で、前記アクセスネットワーク情報は、無線ローカルエリアネットワーク（WLAN）にアクセスするためのWLANアクセス情報を有する。
【０２０８】
例８１は、例８０の対象を含み、任意選択で、前記WLANアクセス情報は、WLANアクセスポイント（AP）のWLAN  APサービスセット識別情報（SSID）、前記WLAN  APのWLAN  AP基本サービスセット識別情報（BSSID）、前記WLAN  APのローミングコンソーシアム、前記WLAN  APのオペレータのフレンドリー名、前記WLAN  APのネットワークアクセス識別子（NAI）範囲、前記APのドメイン名、前記WLAN  APにより使用されるWLAN周波数帯域、前記WLAN  APにより使用されるWLANチャネル、及び前記WLAN  APの物理レイヤ（PHY）の１つ以上の属性を有するグループから選択された１つ以上の情報エントリを有する。
【０２０９】
例８２は、例７９〜８１のうちいずれか１つの対象を含み、任意選択で、前記メッセージは、無線リソース制御（RRC）シグナリングメッセージを有する。
【０２１０】
例８３は、例７９〜８２のうちいずれか１つの対象を含み、任意選択で、前記メッセージは、前記アクセスネットワーク情報を含むシステム情報ブロック（SIB）を有する。
【０２１１】
例８４は、例７９〜８３のうちいずれか１つの対象を含み、任意選択で、前記無線機は、前記無線通信デバイスのアイドル又は接続動作中に前記メッセージを受信し、前記メッセージはブロードキャストメッセージを有する。
【０２１２】
例８５は、例７９〜８４のうちいずれか１つの対象を含み、任意選択で、前記メッセージは、前記無線通信デバイスにアドレス指定された専用のメッセージを有する。
【０２１３】
例８６は、例８５の対象を含み、任意選択で、前記アクセスネットワーク情報は、前記非セルラネットワークでの安全な接続のセキュリティ情報を有する。
【０２１４】
例８７は、例８６の対象を含み、任意選択で、前記アクセスネットワーク情報は、前記安全な接続の無線ローカルエリアネットワーク（WLAN）セキュリティモード及び前記安全な接続のWLANセキュリティ証明書を有するグループから選択された１つ以上の情報エントリを有する。
【０２１５】
例８８は、例８５〜８７のうちいずれか１つの対象を含み、任意選択で、前記無線機は、前記セルラノードに要求を送信し、前記要求に応じて前記メッセージを受信する。
【０２１６】
例８９は、例７９〜８８のうちいずれか１つの対象を含み、任意選択で、ユーザ装置（UE）を有する。
【０２１７】
１つ以上の実施例を参照してここに記載した関数、動作、コンポーネント及び／又は機能は、１つ以上の他の実施例を参照してここに記載した１つ以上の関数、動作、コンポーネント及び／又は機能と組み合わされてもよく、組み合わされて利用されてもよい。また、この逆も同様である。
【０２１８】
本発明の特定の特徴についてここに例示及び説明したが、多くの変更、置換、変形及び均等が当業者に思い浮かぶ。従って、特許請求の範囲は、本発明の真の要旨内に入る全てのこのような変更及び変形をカバーすることを意図する。
【図１】
2017163564.tif 000006
【図２】
2017163564.tif 000007
【図３】
2017163564.tif 000008
【外国語明細書】
2017163564000001.pdf